(57)【特許請求の範囲】
【請求項１】
農道に沿って給水パイプと水位調整パイプとが埋設され、給水パイプ及び上流側の水位調整パイプから供給される用水を耕作区に供給し、耕作区の余剰の用水を下流側の水位調整パイプに排出する水田の水位調節装置であって、該水位調節装置は、前記給水パイプに接続する用水流入部及び水田の耕作区に連通する耕作区給排水口を備えた給排水室と、前記上流側の水位調整パイプに接続する調整水流入部及び下流側の水位調整パイプに接続する調整水流出部を備えた水位調節室と、前記給排水室と水位調節室とを調整水遮断手段を介して連通する調整水流通部とを有し、前記用水流入部には、用水の供給を調節する給水弁と給排水室の上部に開口する高さ調節可能な逆流防止堰とを設けるとともに、前記調整水流出部には、水位調節室の底部近傍で開口可能な排水弁と水位調節室の上部に開口する高さ調節可能な水位調節堰とを設けたことを特徴とする水田の水位調節装置。
【請求項２】
前記耕作区給排水口は、高さ調節可能な越流ゲートを介して前記耕作区に連通していることを特徴とする請求項１記載の水田の水位調節装置。
【請求項３】
前記水位調節堰は、前記調整水流出部に接続されて上向きに開口したパイプに上下方向に摺動可能に装着した筒体により形成されていることを特徴とする請求項１記載の水田の水位調節装置。
【請求項４】
前記逆流防止堰は、前記用水流入部に接続されて上向きに開口したパイプに上下方向に摺動可能に装着した筒体により形成されていることを特徴とする請求項１記載の水田の水位調節装置。
【請求項５】
前記給排水室と水位調節室とを、前記調整水流通部を有する仕切り壁を介して給排水枡内に連設したことを特徴とする請求項１記載の水田の水位調節装置。
【発明の詳細な説明】
【０００１】
【発明の属する技術分野】
本発明は、水田の水位調節装置に関し、詳しくは、水田における各耕作区の田面水位を必要最小限の用水量で所望の高さに容易に調節できるとともに、用水の供給や排出も容易に行うことができ、一部の耕作区の転作にも容易に対応できる水田の水位調節装置に関する。
【０００２】
【従来の技術】
図６は、従来の水田構造を示す概略平面図であって、河川１を流れる水は、水路２から上流側の幹線給水路３に導かれて水田４に供給されるようになっている。水田４は、畦畔４１によって複数の耕作区４２に区分されており、長手方向に延びる農道４０の側縁には、それぞれの耕作区４２に沿って開放型の給水路３１が設けられている。この給水路３１の上流側は、前記幹線給水路３と接続しており、各耕作区４２に面した給水路３１の側壁には、給水口３２が設けられている。図７に斜視図で示すように、給水路３１を流れる用水は、各給水口３２から各耕作区４２に供給されるようになっている。
【０００３】
また、前記給水路３１の反対側に位置する水田４，４の間には、開放型の排水路３３が設けられている。各耕作区４２に面した排水路３３の排水口には、水位設定器３４が設けられており、この水位設定器３４の高さを調整することにより、それぞれの耕作区４２の田面水位を一定の高さに維持できるように形成されている。排水路３３の下流側は、幹線排水路３５と接続しており、この排水路３５に放出された余剰の用水や雨水は、水路３６から河川に還流されるようになっている。
【０００４】
【発明が解決しようとする課題】
この水田の場合には、給水路３１を流れる用水は、給水路３１の上流側に位置する給水口３２から各耕作区４２に流入する。そして、耕作区４２に供給された用水は、水位設定器３４によって一定の水位に維持されるとともに、余剰の用水が排水路３３に排出される。このようにして、上流側から下流側の耕作区４２に向かって用水が順次供給されていくため、下流側の耕作区４２ほど用水の供給が不足がちとなる。特に、日照りが続く旱魃期には、下流側の耕作区４２にほとんど用水が供給されなくなり、稲の成育不良によって収穫量が減少するということがあった。
【０００５】
また、各水路が開放型で形成されている従来の水田では、給水路３１や排水路３３の占有幅だけ耕作区４２や農道４０のスペースが狭くなるため、農地を有効利用できないという問題もあった。さらには、上方が開放した各水路には、土砂等が落下して堆積し易いため、土砂等の排出作業を頻繁に行わなければならず、水路管理が煩わしいという問題もあった。
【０００６】
一方、農村の都市化に伴って農家の兼業化が進行するとともに、就業時間の短縮及び制限から農作業等の自動化及び省力化の要請が強まっており、水田の給水管理や施肥管理等の省力化が望まれている。
【０００７】
そこで本発明は、水田全体にわたって安定した状態で用水を供給でき、田面水位を自動的に一定に維持できるとともに、一部の耕作区の転作にも容易に対応でき、しかも、施工性に優れ、安価に提供することができる水田の水位調節装置を提供することを目的としている。
【０００８】
【課題を解決するための手段】
上記目的を達成するため、本発明の水田の水位調節装置は、農道に沿って給水パイプと水位調整パイプとが埋設され、給水パイプ及び上流側の水位調整パイプから供給される用水を耕作区に供給し、耕作区の余剰の用水を下流側の水位調整パイプに排出する水田の水位調節装置であって、該水位調節装置は、前記給水パイプに接続する用水流入部及び水田の耕作区に連通する耕作区給排水口を備えた給排水室と、前記上流側の水位調整パイプに接続する調整水流入部及び下流側の水位調整パイプに接続する調整水流出部を備えた水位調節室と、前記給排水室と水位調節室とを調整水遮断手段を介して連通する調整水流通部とを有し、前記用水流入部には、用水の供給を調節する給水弁と給排水室の上部に開口する高さ調節可能な逆流防止堰とを設けるとともに、前記調整水流出部には、水位調節室の底部近傍で開口可能な排水弁と水位調節室の上部に開口する高さ調節可能な水位調節堰とを設けたことを特徴としている。
【０００９】
また、本発明の水田の水位調節装置は、前記耕作区給排水口が、高さ調節可能な越流ゲートを介して前記耕作区に連通していること、前記水位調節堰が、前記調整水流出部に接続されて上向きに開口したパイプに上下方向に摺動可能に装着した筒体により形成されていること、同様に、前記逆流防止堰が、前記用水流入部に接続されて上向きに開口したパイプに上下方向に摺動可能に装着した筒体により形成されていること、さらに、前記給排水室と水位調節室とを、前記調整水流通部を有する仕切り壁を介して給排水枡内に連設したことを特徴としている。
【００１０】
【発明の実施の形態】
図１は本発明の水位調節装置を使用した用水管理システムの一例を示す概略平面図である。水田４の内部は、短手方向に延びる畦畔４１によって複数の耕作区４２に区分されている。各耕作区４２は、例えば、長辺が１００〜２００ｍ、短辺が３０〜１００ｍ程度の長方形状に区分され、全体的に見れば緩やかに傾斜しているにしても、略平坦に整地されている。
【００１１】
また、水田４の側縁には、その長手方向に沿って農道４３が設けられている。この農道４３の上面は、その中央部が従来の農道と略同じ幅寸法の平坦面に形成されており、この平坦面の片側又は両側に、水田４側に向かって下り勾配となった傾斜面が形成されている。この傾斜面は、従来農道に沿って設けられていた用水路や排水路を撤去して埋め戻しを行った部分である。このため、農道４３は、従来の農道よりもかなり広幅になっており、トラクター等を旋回させて方向転換したり、農道４３の片方を駐車スペースとして利用できるようになっている。
【００１２】
各農道４３には、その傾斜面の下方に、用水を通すための通水パイプである給水パイプ５１と排水パイプを兼ねる水位調整パイプ５２とが埋設されている。前記給水パイプ５１及び水位調整パイプ５２は、上流側が弁５１ａ，５２ａを介して用水ライン３７に接続しており、下流側が弁５１ｂ，５２ｂを介して排水ライン３８に接続している。この用水ライン３７及び排水ライン３８は、状況に応じて開放型の水路で形成してもよく、パイプラインで形成することもできる。また、水位調整パイプ５２の下流側の弁５２ｂは省略することもできる。なお、図示は省略するが、用水ライン３７には、河川等から水を引き込むための水路が接続しており、排水ライン３８には、放出された用水や雨水を河川に還流させるための水路が接続している。
【００１３】
また、各耕作区４２の側縁には、各耕作区４２に耕作区給排水口６１を介して連通した水位調節装置６が設置されており、前記給水パイプ５１及び水位調整パイプ５２にそれぞれ用水流入部６２及び調整水流入部６３，調整水流出部６４を介して接続されている。
【００１４】
図２は、一耕作区４２の用水管理に用いられる水位調節装置６の一例を示す配管概略図である。この水位調節装置６は、遮断弁７０を備えた調整水流通部７１により接続される給排水室６０ａと水位調節室６０ｂとを有するもので、給排水室６０ａには、耕作区４２に連通する耕作区給排水口６１と、給水パイプ５１に接続する用水流入部６２とが設けられ、水位調節室６０ｂには、上流側の水位調整パイプ５２に接続する調整水流入部６３と下流側の水位調整パイプに接続する調整水流出部６４とが設けられている。
【００１５】
用水流入部６２には、給水弁６５と給排水室６０ａの上部に開口する高さ調節可能な逆流防止堰６６とが設けられ、耕作区給排水口６１には、高さ調節可能な越流ゲート６７が設けられている。また、調整水流出部６４には、水位調節室６０ｂの底部近傍で開口可能な排水弁６８と水位調節室６０ｂの上部に開口する高さ調節可能な水位調節堰６９とが設けられている。
【００１６】
図３乃至図５は、水位調節装置６の具体的な形状例を示すもので、図３は断面平面図、図４は断面正面図、図５は調整水流出部６４部分と耕作区給排水口６１部分とを示す断面側面図である。
【００１７】
この水位調節装置６は、有底角筒形の給排水枡６０内を、調整水流通部７１を有する仕切り壁７２により、給排水室６０ａと水位調節室６０ｂとを区画したもので、仕切り壁７２には、調整水流通部７１を開閉する調整水遮断手段となる遮断弁７０が設けられている。給排水室６０ａには、前述のように、耕作区４２に連通する前記耕作区給排水口６１と、給水パイプ５１に接続する用水流入部６２とが設けられ、水位調節室６０ｂには、上流側の水位調整パイプ５２に接続する調整水流入部６３と下流側の水位調整パイプ５２に接続する調整水流出部６４とが設けられている。用水流入部６２には、給水弁６５と給排水室６０ａの上部に開口する高さ調節可能な逆流防止堰６６とが設けられ、給排水室６０ａの耕作区４２側の一側壁に設けられた前記耕作区給排水口６１には、高さ調節可能な越流ゲート６７が設けられている。また、調整水流出部６４には、水位調節室６０ｂの底部近傍で開口可能な排水弁６８と、水位調節室６０ｂの上部に開口する高さ調節可能な水位調節堰６９とが設けられている。
【００１８】
前記給水弁６５は、用水流入部６２のパイプ６２Ｐに接続した垂直方向のパイプ６５Ｐの上部開口を円盤状の弁体６５Ｖで開閉するものであって、弁体６５Ｖには、パイプ６５Ｐの上部に放射状に設けたガイド部材６５Ｇに支持された軸受６５Ａ及び給排水枡６０の上部に設けた軸受６５Ｂを挿通したネジ弁軸６５Ｓを介して操作ハンドル６５Ｈが設けられており、操作ハンドル６５Ｈを回転させてネジ弁軸６５Ｓを軸受６５Ｂの雌ネジに対して上下動させることにより、給水弁６５の開閉及び開度調節を行う。
【００１９】
また、逆流防止堰６６は、前記パイプ６５Ｐの外周面に、水密性と適度な摺動抵抗とを得るためのゴム製のシールパッキン６６Ｒを下端部に装着した大径の筒体６６Ｔからなるもので、この筒体６６Ｔは、シールパッキン６６Ｒと前記ガイド部材６５Ｇとによりガイドされて上下方向に移動し、任意の高さで保持できるように形成されている。この筒体６６Ｔには、給排水枡６０の上方に延びる操作ロッド６６Ｈが設けられている。
【００２０】
耕作区給排水口６１は、田面Ｇより低い位置まで開口しており、この耕作区給排水口６１に設けられた越流ゲート６７は、耕作区給排水口６１の両側のガイド溝６７Ｄに上下動可能に嵌め込まれている。通常、越流ゲート６７は、その上縁の位置が田面Ｇと面一あるいは僅かに高くなるように設定され、給排水枡６０内への土砂の流入を防止している。また、耕作区給排水口６１の前方の地面を掘り下げるとともに、越流ゲート６７を押し下げることにより、耕作区４２からの排水を速やかに行うことができる。
【００２１】
水位調節室６０ｂ内の水位調節堰６９は、調整水流出部６４の水平方向のパイプ６４Ｐから垂直方向に立上がったパイプ６９Ｐの上端の上向きの開口に、前記同様にゴム製のシールパッキン６９Ｒを介して上下動可能に嵌装された筒体６９Ｔにより形成されており、この筒体６９Ｔにも、前記同様の操作ロッド６９Ｈが設けられている。なお、この筒体６９Ｔの上縁をラッパ状に拡開しておくことにより、用水の排出を効率よく行うことができる。
【００２２】
前記排水弁６８は、分水栓のような管端開口を開閉する形式の弁が用いられ、パイプ６４Ｐの開口端に設けられた弁体６８Ｖを前記同様の操作ロッド６８Ｈで開閉するように形成されている。
【００２３】
調整水流通部７１を開閉する遮断弁７０は、仕切り壁７２に沿って上下動するゲート弁からなるもので、この遮断弁７０にも、前記同様の操作ロッド７０Ｈが設けられている。
【００２４】
なお、上記操作ハンドル６５Ｈや各操作ロッド６６Ｈ，６８Ｈ，６９Ｈ，７０Ｈには、弁の開閉状態等を表示するための目盛りを設けておくことができる。また、給排水枡６０の上部には、図４，図５に想像線で示すように蓋体６０Ｃを装着しておくこともでき、蓋体６０Ｃを装着する場合は、これを透明材料で形成することにより、給排水枡６０内の状況を容易に確認することができる。
【００２５】
以上のような構成からなる水位調節装置６は、各耕作区４２に面した農道４３の傾斜面に垂直状態で埋設され、田面水位は、各耕作区４２毎に設定される。すなわち、各耕作区４２に設置した水位調節装置６における水位調節堰６９の高さ位置を、筒体６９Ｔに設けた操作ロッド６９Ｈを上下に移動させることにより、各耕作区４２毎に設定する。
【００２６】
通常、各耕作区４２に設置されている水位調節装置６において、給水パイプ５１に接続した用水流入部６２の逆流防止堰６６は、筒体６６Ｔの上縁を田面水位Ｌよりも若干高い位置に設定し、下流側の水位調整パイプ５２に接続した調整水流出部６４の水位調節堰６９は、筒体６９Ｔの上縁を田面水位Ｌに対応した高さに設定する。また、排水弁６８は全閉状態とし、越流ゲート６７の高さは、田面水位Ｌよりも低く、地表面（田面Ｇ）と同じかそれよりも高い位置に設定する。
【００２７】
上述の設定状態において、上流側の水位調整パイプ５２から調整水流入部６３を介して水位調節室６０ｂに流入した用水（調整水）は、水位調節室６０ｂから調整水流通部７１を通って給排水室６０ａに流入した後、耕作区給排水口６１の越流ゲート６７を越えて耕作区４２に供給される。この耕作区４２への用水の供給は、田面水位が上昇して水位調節堰６９の筒体６９Ｔの上縁を越える高さに達するまで継続して行われる。
【００２８】
このとき、水位調整パイプ５２から水位調節装置６に流入する用水の量が少ない場合や、大量の用水を耕作区４２に供給する必要がある場合は、用水流入部６２の給水弁６５を開くことにより給水パイプ５１から用水流入部６２を介して水位調節装置６に用水を補給することができる。
【００２９】
耕作区４２内の田面水位が所定高さになり、調整水流出部６４の筒体６９Ｔの上縁と同じ高さになると、水位調節室６０ｂに流入した余剰の調整水は、耕作区４２に流入することなく、そのまま水位調節堰６９を越えて調整水流出部６４から下流側の水位調整パイプ５２に流出し、下流側の耕作区４２に設けた水位調節装置６に送られる。このとき、逆流防止堰６６の筒体６６Ｔの上縁が田面水位Ｌよりも若干高い位置に設定されているので、給水パイプ５１への用水の供給を止めても用水が用水流入部６２から給水パイプ５１側に逆流することはない。また、越流ゲート６７の位置を適当に設定することにより、耕作区４２内の土砂が給排水枡６０内に流入することを防止できる。
【００３０】
このようにして上流側の耕作区４２の水位が一定に維持されると、余剰の調整水が下流の水位調節装置６を介して各耕作区４２に供給され、同様にして各耕作区４２の田面水位が一定に維持される。このような用水管理を行うと、各耕作区４２への用水の供給量を少なくできるため、上流側の耕作区４２から下流側の耕作区４２にわたって満遍なく用水を供給できるようになり、下流側の耕作区４２で水不足が発生することもなくなる。また、耕作区４２の田面水位が一定に維持されている状態では、耕作区４２内の用水は外部にほとんど排出されないため、耕作区４２に施用された農薬や肥料等が用水や雨水と共に外部に流出することも少なく、環境破壊の問題を招来するおそれもない。
【００３１】
雨水等によって耕作区４２の水位が上昇すると、耕作区４２内の余剰の用水は、耕作区給排水口６１から給排水枡６０ａ、調整水流通部７１を経て水位調節枡６０ｂに流入し、前述のように筒体６９Ｔの上縁を越えて調整水流出部６４から流出する。これにより、各耕作区４２の水位は、常に一定に維持されることになる。
【００３２】
また、耕作区４２から用水を排出する場合には、用水流入部６２の給水弁６５を閉じ状態とし、調整水流出部６４の水位調節堰６９の筒体６９Ｔを押し下げるか、排水弁６８を開く。これにより、耕作区４２に貯留されている用水を、耕作区給排水口６１，給排水室６０ａ，調整水流通部７１，水位調節室６０ｂを介して下流側の水位調整パイプ５２に排出することができる。
【００３３】
さらに、耕作区４２等から耕作区給排水口６１を通って給排水枡６０内に侵入した土砂等は、水位調節室６０ｂの底部の排水弁６８を開くことにより、排水弁６８から用水と共に下流側の水位調整パイプ５２に排出することができる。
【００３４】
一方、一度に大量の用水を必要とする水田の代掻き時には、給水弁６５を全開状態にして逆流防止堰６６の筒体６６Ｔを押し下げるとともに、調整水流出部６４の水位調節堰６９の筒体６９Ｔを引上げるか、遮断弁７０を閉じる。これにより、給水パイプ５１から送水された用水は、用水流入部６２から耕作区４２内に流入し、調整水流出部６４から排出されることなく、その全量が耕作区４２内に供給されて貯留される状態になり、速やかに所定の水位に達する。この操作を各耕作区４２について繰り返すことにより、上流側の耕作区４２から下流側の耕作区４２にわたって順次用水を供給することができる。
【００３５】
さらに、減反等でいくつかの耕作区４２への給水が不要な場合は、その耕作区４２に対応した水位調節装置６の給水弁６５を閉じ、水位調節堰６９の筒体６９Ｔを押し下げるか、排水弁６８を全開状態にするとともに、越流ゲート６７を下方に押し下げる。これにより、耕作区４２内の用水は、耕作区４２から水位調節装置６を通って水位調整パイプ５２に排出される。そして、排水完了後に遮断弁７０を閉じておくことにより、調整水流入部６３から水位調節室６０ｂ内に流入した調整水が給排水室６０ａ内に流入することがなくなるので、水位調節堰６９の筒体６９Ｔを押し下げておくことにより、この水位調節装置６を設置した耕作区４２のみへの給水を停止しながら他の耕作区４２への給排水を通常通り行うことができる。
【００３６】
このように構成した水位調節装置６によれば、給水パイプ５１や水位調整パイプ５２を流れる用水を少量にすることができるため、小径のパイプを用いることができる。また、この水位調節装置６は、合成樹脂製の筒材等を適宜に組合わせて製作することができ、給排水枡６０内に一体に組込まれているので、用水流入部６２や調整水流入部６３，調整水流出部６４を直接あるいは適当な継手を介して給水パイプ５１や水位調整パイプ５２にそれぞれ接続するだけでよいことから、工事費等を大幅に削減することができる。
【００３７】
さらに、前記越流ゲート６７を設けたことにより、代掻き時に土砂等が給排水枡６０内に侵入することを防止でき、また、中干し時や転作時の水抜きが効果的に行える。すなわち、越流ゲート６７を上方に引き上げておけば、代掻き時に土砂等が給排水枡６０内に侵入することを未然に防止できる。さらに、水田を中干しするときには、越流ゲート６７を押し下げ、付近の地面を掘り下げておくことによって水抜きができ、減反や転作の際にも、水田の用水をスムーズに落とすことができるという利点がある。
【００３８】
また、図３及び図５に想像線で示すように、給排水枡６０水位調節室６０ｂに、耕作区下方の地中に開口する排水管８１を設けておくこともできる。この排水管８１は、通常は、キャップ８１Ｃ等の遮断手段で塞いでおき、耕作区４２を畑に転作する場合等に、排水管８１部分の地面を掘り下げて排水管８１のキャップ８１Ｃを取り外し、給水弁６４及び遮断弁７０を閉じるとともに、排水弁６８を開いた状態としておく。これにより、転作した耕作区４２から雨水等を速やかに排出することができるので、水が溜まることがなくなり、畑として有効利用することができる。
【００３９】
なお、逆流防止堰や水位調節堰の構造は、上記形態例に示す筒体に限らず、蛇腹状に形成したり、堰板式にしたりすることもでき、弁の構造も任意に選択できる。さらに、各操作ロッドを、例えばねじ込み構造等により着脱可能に形成しておくことにより、必要時以外に水位調節堰等が操作されることを防止できる。
【００４０】
また、上記形態例では、各耕作区に各１個の水位調節装置を設置した例を示したが、本発明はこれに限定されるものではない。すなわち、耕作区の両側に水位調節装置を設置すれば、耕作区の全体にわたってきめ細かな用水管理を行うことができ、耕作区の面積や形状等に応じて任意の数の水位調節装置を設置することができる。また、複数の水位調節装置を設ける場合は、用水供給用と排水用とに使い分けてもよい。
【００４１】
さらに、各バルブの開閉や堰の上下位置調節を、操作ロッドに代えてモーター等により遠隔操作可能に形成することもでき、コンピューター等を使用して自動的に制御することも可能である。また、給排水室と水位調節室とを別体に形成し、遮断弁を有する配管で接続するようにしてもよい。
【００４２】
【発明の効果】
以上説明したように、本発明の水田の水位調節装置によれば、水田の側縁に沿って設けられた農道に給水パイプ及び水位調整パイプを埋設するので、水田の耕作区や農道等のスペースを大幅に拡大でき、農地を有効に利用することができる。
【００４３】
また、水位調節装置により、耕作区への用水の供給や田面水位の維持、耕作区からの用水の排出等を簡単な操作で確実に行うことができ、各耕作区毎の田面水位の維持等の用水管理を効率よく行うことができる。さらに、一部の耕作区の減反等にも対応することができる。しかも、これらの機能を一つの給排水枡に集約させることができるので、水位調節装置をコンパクトに形成することができ、施工性に優れるとともに、安価に供給することができる。
【００４４】
さらに、本発明では、各耕作区に供給された用水が余剰水として排出されるのを最小限に抑える用水管理を行えるので、各耕作区に施用された農薬や肥料等が用水と共に外部に流出する量を低減でき、環境破壊の問題を招来することもない。
【図面の簡単な説明】
【図１】  本発明の水位調節装置を使用した用水管理システムの一例を示す概略平面図である。
【図２】  水位調節装置の一形態例を示す配管概略図である。
【図３】  水位調節装置の具体的な形状例を示す平面図である。
【図４】  水位調節装置の縦断面図である。
【図５】  水位調節装置における調整水流出部及び耕作区給排水口部分を示す縦断面図である。
【図６】  従来の水田構造を示す概略平面図図である。
【図７】  従来の給水路の斜視図である。
【符号の説明】
３７…用水ライン、３８…排水ライン、４…水田、４１…畦畔、４２…耕作区、４３…農道、５１…給水パイプ、５２…水位調整パイプ、６…水位調節装置、６０…給排水枡、６０ａ…給排水室、６０ｂ…水位調節室、６１…耕作区給排水口、６２…用水流入部、６３…調整水流入部、６４…調整水流出部、６５…給水弁、６５Ｇ…ガイド部材、６５Ｖ…弁体、６５Ｈ…操作ロッド、６６…逆流防止堰、６６Ｔ…筒体、６６Ｈ…操作ロッド、６７…越流ゲート、６８…排水弁、６８Ｈ…操作ハンドル、６８Ｖ…弁体、６９…水位調節堰、６９Ｔ…筒体、６９Ｈ…操作ロッド、７０…遮断弁、７０Ｈ…操作ロッド、７１…調整水流通部、７２…仕切り壁、８１…排水管
【図１】
0003848739.tif 000002
【図２】
0003848739.tif 000003
【図３】
0003848739.tif 000004
【図４】
0003848739.tif 000005
【図５】
0003848739.tif 000006
【図６】
0003848739.tif 000007
【図７】
0003848739.tif 000008